(57)【要約】  実際の空調負荷状態が低い場合や、被空調室内にある発熱機器の廃熱が室内機に戻ってこない場合であっても、圧縮機が長時間起動しないことを防止し、圧縮機の発停回数を抑制することのできる空気調和装置を得ることである。  この空気調和装置は、圧縮機、熱源側熱交換器、膨張弁および利用側熱交換器を順次環状に接続して成る冷媒回路と、利用側熱交換器が配備された室内機内で利用側熱交換器を通過して被空調室内に吹き出される空気の吹出し温度を検出する吹出し温度センサと、吹出し温度センサにより検出された吹出し温度を、予め設定されている設定温度に近づけるように、圧縮機２１を駆動するサーモオンまたは圧縮機を停止するサーモオフの制御を行なう圧縮機制御手段と、を備えて成り、サーモオフ直前またはサーモオフ中の空調運転状態に応じて、次回のサーモオンを禁止する時間を設定することを特徴とするものである。
2016016913.tif 000002
【特許請求の範囲】
【請求項１】
圧縮機、熱源側熱交換器、膨張弁および利用側熱交換器を順次環状に接続して成る冷媒回路と、
前記利用側熱交換器が配備された室内機内で前記利用側熱交換器を通過して被空調室内に吹き出される空気の吹出し温度を検出する吹出し温度センサと、
前記吹出し温度センサにより検出された吹出し温度を、予め設定されている設定温度に近づけるように、前記圧縮機を駆動するサーモオンまたは前記圧縮機を停止するサーモオフの制御を行なう圧縮機制御手段と、を備えて成り、
サーモオフ直前またはサーモオフ中の空調運転状態に応じて、次回のサーモオンを禁止する時間を設定することを特徴とする空気調和装置。
【請求項２】
サーモオフ直前の連続したサーモオンの時間を計時するサーモオン時間カウント手段と、
前記サーモオン時間カウント手段により計時されたサーモオン時間に基づいて次回のサーモオンを禁止する時間を算出して設定する第１サーモオン禁止時間設定手段と、
前記第１サーモオン禁止時間設定手段により設定されたサーモオン禁止時間中は圧縮機制御手段による圧縮機の起動を無効にする第１圧縮機強制停止手段と、
を備えていることを特徴とする請求項１に記載の空気調和装置。
【請求項３】
過去の所定時間内に生じた圧縮機の発停回数を計数する圧縮機発停回数カウント手段と、
前記圧縮機発停回数カウント手段により計数された発停回数に基づいて次回のサーモオンを禁止する時間を算出して設定する第２サーモオン禁止時間設定手段と、
前記第２サーモオン禁止時間設定手段により設定されたサーモオン禁止時間中は圧縮機制御手段による圧縮機の起動を無効にする第２圧縮機強制停止手段と、
を備えていることを特徴とする請求項１に記載の空気調和装置。
【請求項４】
サーモオフ直前の所定時間内に吹出し温度センサにより検出された吹出し温度の低下速度を算出する吹出し温度低下速度算出手段と、
前記吹出し温度低下速度算出手段により算出された吹出し温度の低下速度に基づいて次回のサーモオンを禁止する時間を算出して設定する第３サーモオン禁止時間設定手段と、
前記第３サーモオン禁止時間設定手段により設定されたサーモオン禁止時間中は圧縮機制御手段による圧縮機の起動を無効にする第３圧縮機強制停止手段と、
を備えていることを特徴とする請求項１に記載の空気調和装置。
【請求項５】
室内機に吸い込まれた空気の吸込み温度を検出する吸込み温度センサと、
サーモオフ中の所定時間内に吸込み温度センサにより検出された吸込み温度の上昇速度を算出する吸込み温度上昇速度算出手段と、
前記吸込み温度上昇速度算出手段により算出された吸込み温度の上昇速度に基づいて次回のサーモオンを禁止する時間を算出して設定する第４サーモオン禁止時間設定手段と、
前記第４サーモオン禁止時間設定手段により設定されたサーモオン禁止時間中は圧縮機制御手段による圧縮機の起動を無効にする第４圧縮機強制停止手段と、
を備えていることを特徴とする請求項１に記載の空気調和装置。
【発明の詳細な説明】
【技術分野】
【０００１】
この発明は、いわゆるサーモオンとサーモオフを行なう空気調和装置に関するものである。
【背景技術】
【０００２】
従来、吹出し空気温度が制御される空気調和装置としては、室内機からの吹出し空気の温度が所定値よりも低くなったときに、圧縮機を停止させる停止指令手段と、停止指令手段が圧縮機を停止させたときの吸込み空気の温度を記憶する記憶手段と、吸込み空気の温度が記憶した温度よりも所定値だけ上昇したときに、圧縮機を起動させる起動指令手段と、を備えたものが提案されている（例えば、特許文献１参照）。この特許文献１記載の空気調和装置は、吹出し空気温度制御を主とし、吸込み空気の温度上昇により圧縮機を起動(サーモオン)させる内容であるが、その他の手段については示唆されていない。
【先行技術文献】
【特許文献】
【０００３】
【特許文献１】特開平１０−３０８３６号公報
【発明の概要】
【発明が解決しようとする課題】
【０００４】
ところで、特許文献１記載の空気調和装置は、吹出し空気を制御している場合において、圧縮機を停止させたときの吸込み空気の温度を記憶し、その後の圧縮機の起動は、検出された吸込み温度が記憶された吸込み温度よりも所定値以上上昇したときに、起動指令手段により行なわれることによって、ダクト内の温度に惑わされることなく、空調負荷に対する必要な温度制御性を犠牲にすることなく、圧縮機の発停回数を最低限度に抑えるようにされている。
しかしながら、実際の被空調室内の空調負荷状態が低い場合や、被空調室内に置かれている発熱機器から発せられた廃熱が室内機に戻ってこない場合には、吸込み空気温度が上昇せず、圧縮機が長時間起動せず、設定された吹出し空気温度よりも高い温度の空気を吹き出し続けているという問題があった。【０００５】
本発明は、上記のような課題を解決するためになされたもので、実際の空調負荷状態が低い場合や、被空調室内にある発熱機器の廃熱が室内機に戻ってこない場合であっても、圧縮機が長時間起動しないといったことを防止し、圧縮機の発停回数を抑制することのできる空気調和装置を得ることを目的としている。
【課題を解決するための手段】
【０００６】
この発明に係る空気調和装置は、圧縮機、熱源側熱交換器、膨張弁および利用側熱交換器を順次環状に接続して成る冷媒回路と、利用側熱交換器が配備された室内機内で利用側熱交換器を通過して被空調室内に吹き出される空気の吹出し温度を検出する吹出し温度センサと、吹出し温度センサにより検出された吹出し温度を、予め設定されている設定温度に近づけるように、圧縮機を駆動するサーモオンまたは圧縮機を停止するサーモオフの制御を行なう圧縮機制御手段と、を備えて成り、サーモオフ直前またはサーモオフ中の空調運転状態に応じて、次回のサーモオンを禁止する時間を設定することを特徴とするものである。尚、前記した「サーモオフ直前またはサーモオフ中の空調運転状態」としては、例えば、サーモオフ直前の連続したサーモオン時間、所定時間内に生じた圧縮機の発停回数、サーモオフ直前の所定時間内の吹出し温度低下速度、サーモオフ中の所定時間内の吸込み温度上昇速度が挙げられる。
【発明の効果】
【０００７】
この発明の空気調和装置は、室内機の吹出し温度を予め設定されている設定温度に近づけるように、圧縮機を駆動するサーモオンまたは圧縮機を停止するサーモオフの制御を行なうにあたり、サーモオフ直前またはサーモオフ中の空調運転状態に応じて、次回のサーモオンを禁止する時間を設定するように構成したので、実際の空調負荷状態が低い場合や発熱機器の廃熱が空気調和装置に戻ってこない場合であっても、圧縮機が長時間起動しないといったことを防止し、圧縮機の発停回数を抑制できるという効果を有する。
【図面の簡単な説明】
【０００８】
【図１】この発明の実施の形態１における空気調和装置の概略構成図である。
【図２】前記空気調和装置の制御系統を示す概略ブロック構成図である。
【図３】前記空気調和装置のサーモＯＮ動作とサーモＯＦＦ動作を説明するための圧縮機容量の時間軸変化を示したグラフの図である。
【図４】前記空気調和装置の特徴的な制御動作を示す説明図である。
【図５】この発明の実施の形態２における空気調和装置の特徴的な制御動作を示す説明図である。
【図６】この発明の実施の形態３における空気調和装置の特徴的な制御動作を示す説明図である。
【図７】この発明の実施の形態４における空気調和装置の特徴的な制御動作を示す説明図である。
【発明を実施するための形態】
【０００９】
実施の形態１．
図１はこの発明の実施の形態１に係る空気調和装置の概略構成図である。以下、図１を参照しながら、この実施形態に係る空気調和装置について説明する。
図１において、この実施の形態に係る空気調和装置１００は、室内機１と、室外機２と、室内機１と室外機２を接続する冷媒流通用の接続配管３と、から構成されている。そして、室外機２の圧縮機２１および熱源側熱交換器２２と、接続配管３と、室内機１の膨張弁１５および利用側熱交換器１２と、接続配管３とが順次環状に配管接続されることにより、冷凍サイクル動作を行なう冷媒回路２００を構成している。
【００１０】
室内機１には、膨張弁１５と利用側熱交換器１２とが直列に配管接続されて搭載されている。膨張弁１５は冷媒を減圧膨張させるものであり、弁開度が可変に制御可能な電子膨張弁で構成するとよい。利用側熱交換器１２は冷房運転時には蒸発器として機能し、暖房時には凝縮器として機能する。利用側熱交換器１２の近傍には、利用側熱交換器１２に空気を供給するための室内送風手段１３が配備されている。この室内送風手段１３は例えば遠心ファンや多翼ファンなどで構成され、インバータ装置によりファン回転数が制御され風量制御されるものが好ましい。つまり、利用側熱交換器１２は、室内送風手段１３から供給される空気と冷媒との間で熱交換を行ない、冷媒を蒸発ガス化または凝縮液化する。室内機１の本体ケーシングの空気吸込み口近傍には、室内空気の吸込み温度を検出する吸込み温度センサ１６が配備され、空気吹出し口近傍には、空調済み空気の吹出し温度を検出する吹出し温度センサ１７が配備されている。
【００１１】
また、室内機１は室内制御装置１４を備えている。この室内制御装置１４は、汎用のＣＰＵ、データバス、入出力ポート、不揮発メモリ、タイマなどを備えて構成されている。そして、室内制御装置１４は、運転情報（室内空気温度、設定温度、冷媒配管温度など）によって、膨張弁１５の弁開度、室内送風手段１３のファン回転数などに対し所定の制御を行うようになっている。また、室内制御装置１４は、後述の室外制御装置２３と伝送線（図示せず）を介して接続され、相互に情報データの送受信を行うことが可能になっている。
【００１２】
室外機２は、圧縮機２１と熱源側熱交換器２２とが直列に配管接続されて搭載されている。圧縮機２１は冷媒を吸入し圧縮して高温・高圧の状態にするものであり、例えばインバータ装置によりモータ回転数が制御され容量制御されるようになっている。熱源側熱交換器２２は、冷房運転時には凝縮器として機能し、暖房運転時には蒸発器として機能する。この熱源側熱交換器２２の近傍には、空気を供給するための室外送風手段２４が設けられている。このような室外送風手段２４は遠心ファンや多翼ファン等で構成されている。そして、熱源側熱交換器２２は、室外送風手段２４から供給される空気と冷媒との間で熱交換を行ない、冷媒を蒸発ガス化または凝縮液化させるようになっている。
【００１３】
また、室外機２は、室外制御装置２３を備えている。この室外制御装置２３は、汎用のＣＰＵ、入出力ポートを備えたデータバス、不揮発性のメモリ、タイマなどを備えて構成されている。そして、室外制御装置２３は、室内機１からの運転情報（室内空気温度、設定温度、冷媒配管温度など）によって、圧縮機２１のモータ回転数、室外送風手段２４のファン回転数などに対し所定の制御を行うようになっている。
【００１４】
そして、室内機１の室内制御装置１４または室外機２の室外制御装置２３は、図２に示すように、ＣＰＵ（中央演算処理ユニット）、メモリＭ、タイマＴおよびデータバスＤＢを備えて構成されている。これらの構成要素は、室内機１の室内制御装置１４だけに持たせてもよいし、室外機２の室外制御装置２３だけに持たせてもよいし、あるいは室内制御装置１４および室外制御装置２３の双方に分散して配備しても構わない。そして、データバスＤＢの入力ポートには、吸込み温度センサ１６、吹出し温度センサ１７などの運転状態検出手段が接続され、出力ポートには圧縮機２１、室外送風手段２４、室内送風手段１３、膨張弁１５などを駆動する各ドライバが接続されている。
【００１５】
前記のＣＰＵは、後で詳述する、所定機器制御手段４０、サーモオン時間カウント手段４１、圧縮機発停回数カウント手段４２、吹出し温度低下速度算出手段４３、圧縮機制御手段４５、第１〜第４サーモオン禁止時間設定手段４６および第１〜第４圧縮機強制停止手段４７の各機能をプログラムソフトウェアとして備えている。これらの各機能はプログラムデータとして予めメモリＭに格納されており、必要に応じメモリＭから取り出されてＣＰＵで使用される。また、メモリＭには、３分間、５分間、１０分間といった所定時間に係るデータ、室内機１の吹出し温度に係る設定温度などが予め格納されている。尚、ＣＰＵの圧縮機制御手段４５の機能は、吹出し温度センサ１７により検出された吹出し温度を、予め設定されている設定温度に近づけるように、圧縮機２１を駆動する「サーモオン（以降はサーモＯＮと称する）」の制御または圧縮機２１を停止する「サーモオフ（以降はサーモＯＦＦと称する）」の制御を行なうものである。
【００１６】
次に、空気調和装置１００の動作について説明する。
ここでは、空気調和装置１００が実行する「冷房運転」を中心に説明する。空気調和装置１００の冷媒回路２００には冷媒が封入されている。そして、ＣＰＵの所定機器制御手段４０は、冷房または暖房に関する通常の運転制御を実行するようになっている。そこで、冷媒回路２００中の冷媒は、圧縮機２１で高温・高圧にされ、圧縮機２１から吐出して、熱源側熱交換器２２に流入する。熱源側熱交換器２２に流入した冷媒は、室外送風手段２４から供給される空気と熱交換して凝縮液化する。凝縮液化した冷媒は、接続配管３を流通して膨張弁１５に流入する。膨張弁１５に流入した冷媒は減圧されて膨張し、低温・低圧の気液二相状態の冷媒に状態変化する。この気液二相冷媒は利用側熱交換器１２に流入し、利用側熱交換器１２に流入した気液二相冷媒は、室内送風手段１３により供給される室内循環空気と熱交換して蒸発しガス化する。蒸発ガス化した冷媒は、利用側熱交換器１２から流出して接続配管３を流通し、圧縮機２１に再度吸入される。このようにして、冷凍サイクル動作が繰り返される。
【００１７】
一方で、室内送風手段１３によって利用側熱交換器１２に供給される室内空気は、利用側熱交換器１２に流入した冷媒の蒸発熱によって冷却されたのち、室内機１が設置されている冷却対象域（被空調室内）に供給され、その冷却対象域や、当該冷却対象域に設置されている発熱機器等を冷却することで温度が上昇する。そして、温度上昇した室内空気は、室内送風手段１３によって室内機１の利用側熱交換器１２に再度供給され、冷媒の蒸発熱で冷却される。このように、室内空気を循環させているのである。
【００１８】
室内制御装置１４は、室内機１の吸込み温度または室内機１の吹出し温度とその目標値である設定温度との差によって空調能力の要否を判断し、圧縮機２１の運転を停止するサーモＯＦＦ制御を行なう。そして、一旦サーモＯＦＦとなった後に、室内制御装置１４は、室内機１の吸込み温度または室内機１の吹出し温度とそれらの目標値である設定温度との差によって空調能力の要否を判断し、圧縮機２１の運転を開始するサーモＯＮ制御を行なうようになっている。サーモＯＮとサーモＯＦＦの状態を表した圧縮機２１の吐出容量の経時変化を図３に示す。図３において、直前のサーモＯＮ時間Ｐｏと次回のサーモＯＮ時（起動時）の間に、圧縮機２１を強制的に起動させない（サーモＯＦＦ状態）サーモＯＮ禁止時間Ｐｎが設定される。
【００１９】
そこで、この実施形態では、図４に示すように、サーモＯＦＦ直前のサーモＯＮ時間により次回のサーモＯＮを禁止する時間（サーモＯＮ禁止時間）を設定する例を示す。斯かる制御はＣＰＵの機能により実行される。
まず、ＣＰＵのサーモオン時間カウント手段４１が、サーモＯＦＦ直前の連続したサーモＯＮ時間をタイマＴにより計時する（ステップＳ１０）。このステップＳ１０において、サーモＯＦＦ直前のサーモＯＮ時間が１０分以内であったとき（ステップＳ１１）、ＣＰＵは熱負荷が小さいものとして１０分間ほどのサーモＯＮ禁止にする（ステップＳ１２）。そして、第１圧縮機強制停止手段４７は、第１サーモオン禁止時間設定手段４６により設定されたサーモオン禁止時間Ｐｎの間中で圧縮機制御手段４５による圧縮機２１の起動を無効にする。尚、ステップＳ１０において、サーモＯＦＦ直前のサーモＯＮ時間が１０〜３０分であったとき（ステップＳ１３）、ＣＰＵは、５分間ほどのサーモＯＮ禁止とし（ステップＳ１４）、その間の圧縮機２１の起動を無効にする。また、ステップＳ１０において、サーモＯＦＦ直前のサーモＯＮ時間が３０分以上であったとき（ステップＳ１５）、ＣＰＵは、熱負荷が通常であるとして３分間のみのサーモＯＮ禁止（通常運転）とし（ステップＳ１６）、その間の圧縮機２１の起動を無効にする。すなわち、第１サーモオン禁止時間設定手段４６は、サーモオン時間カウント手段４１により計時されたサーモオン時間に応じた次回のサーモオン禁止時間ＰｎをメモリＭから取り出して設定するのである。
尚、サーモＯＦＦ時の空調機吸込温度よりも所定温度（例えば１℃）だけ上昇した場合は、サーモＯＮ禁止を解除する。また、外部から運転信号（強制サーモＯＮ指令信号）が入った場合も、サーモＯＮ禁止を解除できる。そして、前記のサーモＯＮ禁止時間は数値固定されたものでなく、３分以上の時間で任意に設定できる。
【００２０】
以上のように、実施形態１の空気調和装置１００は、サーモＯＦＦ直前のサーモＯＮ時間Ｐｏに基づいて次回のサーモＯＮ禁止時間Ｐｎを設定するようにしているので、直前のサーモＯＮ時間Ｐｏが短い場合、つまり実際に空調負荷状態が低い場合や被空調室内にある発熱機器の排熟が室内機１に戻ってこない場合であっても、圧縮機２１が長時間起動しない（サーモＯＮしない）といったことを防止し、且つ、圧縮機２１の発停回数を抑制することができる。また、直前のサーモＯＮ時間Ｐｏが長い場合、つまり空調負荷状態が高い場合には、サーモＯＮ禁止時間Ｐｎを最短にでき、できるだけ早く圧縮機２１を起動させることができる。
【００２１】
実施の形態２．
実施の形態１はサーモＯＦＦ直前のサーモＯＮ時間により次回のサーモオン禁止時間を設定するようにしたものであるが、次に、過去の圧縮機の発停回数によりサーモＯＮ禁止時間を設定する実施の形態２を説明する。
図５は過去の圧縮機の発停回数によりサーモＯＮ禁止時間を設定する実施形態２を示している。
まず、ＣＰＵの圧縮機発停回数カウント手段４２が、サーモＯＦＦ直前の過去１時間および過去２４時間の圧縮機発停回数を計数する（ステップＳ２０）。次に、ＣＰＵは、ステップＳ２０で計数した圧縮機発停回数から、過去２４時間における平均圧縮機発停回数（回/時間）を算出する（ステップＳ２１）。このステップＳ２１において算出した平均圧縮機発停回数が２回／時間以上であったとき（ステップＳ２２）、ＣＰＵは過去１時間における圧縮機発停回数が６回以上であったか否かを判断する（ステップＳ２３）。圧縮機発停回数が６回以上であった場合（Ｙｅｓ）、第２サーモオン禁止時間設定手段４６は、１０分間ほどサーモＯＮ禁止に設定する（ステップＳ２４）。そして、第２圧縮機強制停止手段４７は、第２サーモオン禁止時間設定手段４６により設定されたサーモオン禁止時間Ｐｎ（ここでは１０分間）の間中で圧縮機制御手段４５による圧縮機２１の起動を無効にする。そして、ステップＳ２３において、圧縮機発停回数が６回未満のとき（Ｎｏ）、ＣＰＵは、３分間のみのサーモＯＮ禁止（通常運転）とし（ステップＳ２５）、圧縮機２１の起動を無効にする。一方、ステップＳ２１において算出した平均圧縮機発停回数が２回／時間未満のとき（ステップＳ２６）は、３分間のみのサーモＯＮ禁止（通常運転）とし（ステップＳ２７）、圧縮機２１の起動を無効にする。すなわち、上記の第２サーモオン禁止時間設定手段４６の機能は、圧縮機発停回数カウント手段４２により計数された発停回数に応じた次回のサーモオン禁止時間ＰｎをメモリＭから取り出して設定するのである。
尚、サーモＯＦＦ時の空調機の吸込み温度よりも所定温度（例えば１℃）ほど上昇した場合は、サーモＯＮ禁止を解除する。また、外部から運転信号（強制サーモＯＮ信号）が入った場合も、サーモＯＮ禁止を解除できる。そして、サーモＯＮ禁止時間は３分以上に任意に設定できる。
【００２２】
以上のように、実施形態２の空気調和装置１００は、過去の圧縮機２１の発停回数に基づいてサーモＯＮ禁止時間Ｐｎを設定するようにしているので、直近の空調負荷状況だけでなく、且つ、空調負荷状態が低く圧縮機２１の発停回数が多い場合については、実施の形態1と比べて、より確実に圧縮機の発停回数を抑制することができる。すなわち、圧縮機２１の発停回数が多い場合、つまり実際に空調負荷状態が低い場合や被空調室内にある発熱機器の排熱が室内機１に戻ってこない場合であっても、圧縮機２１が長時間起動しない（サーモＯＮしない）といったことを防止することができる。一方、圧縮機２１の発停回数が少ない場合、つまり空調負荷状態が高い場合には、サーモＯＮ禁止時間Ｐｎを最短にでき、できるだけ早く圧縮機２１を起動させることができる。
【００２３】
実施の形態３．
実施の形態１はサーモＯＦＦ直前のサーモＯＮ時間により次回のサーモオン禁止時間を設定するようにしたものであるが、次に、サーモＯＦＦ直前の吹出し温度によりサーモＯＮ禁止時間を設定する実施の形態３を説明する。
図６は、サーモＯＦＦ直前の吹出し温度によりサーモＯＮ禁止時間を設定する実施形態３を示している。
まず、吹出し温度センサ１７がサーモＯＦＦ直前までの５分間の吹出し温度を測定する（ステップＳ３０）。次に、ステップＳ３０では、ＣＰＵの吹出し温度低下速度算出手段４３が、測定された５分間の吹出し温度から、サーモＯＮ中でかつ圧縮機下限容量運転時の吹出し温度低下速度（°Ｋ／ｍｉｎ）を算出する（ステップＳ３１）。続いて、第３サーモオン禁止時間設定手段４６が、吹出し温度低下速度算出手段４３により算出された吹出し温度の低下速度に応じた次回のサーモオン禁止時間ＰｎをメモリＭから取り出して設定する。すなわち、ステップＳ３１で算出した吹出し温度低下速度が大きいとき（０．５°Ｋ／ｍｉｎ以上：ステップＳ３２のＹｅｓ）、ＣＰＵは１０分間ほどのサーモＯＮ禁止とし（ステップＳ３３）、その間の圧縮機２１の起動を無効にする。一方、ステップＳ３１で算出した吹出し温度低下速度が小さいとき（０．５°Ｋ／ｍｉｎ未満：ステップＳ３２のＮｏ）、ＣＰＵは３分間のみのサーモＯＮ禁止（通常運転）とし（ステップＳ３４）、その間の圧縮機２１の起動を無効にする。そうして、第３圧縮機強制停止手段４７は、第３サーモオン禁止時間設定手段４６により設定されたサーモオン禁止時間Ｐｎの間中に圧縮機制御手段４５による圧縮機２１の起動を無効にするのである。
【００２４】
以上のように、実施形態３の空気調和装置１００は、サーモＯＦＦ直前の吹出し温度の低下速度に基づいて次回のサーモＯＮ禁止時間Ｐｎを設定するようにしているので、実施の形態1と比べ、直近の負荷状況を正確に把握でき、下記する効果をよりいっそう高めることができる。まず、サーモＯＦＦ直前の吹出し温度低下速度が大きい場合、つまり実際に空調負荷状態が低い場合や被空調室内にある発熱機器の排熱が室内機１に戻ってこない場合であっても、圧縮機２１が長時間起動しない（サーモＯＮしない）といったことを防止し、且つ、圧縮機２１の発停回数を抑制することができる。また、サーモＯＦＦ直前の吹出し温度低下速度が小さい場合、つまり空調負荷状態が空気調和装置１００の下限能力（圧縮機２１の下限容量での能力）より若干低い場合でも、サーモＯＮ禁止時間Ｐｎを最短にでき、一旦サーモＯＦＦした後にできるだけ早く圧縮機２１を起動させることができる。
【００２５】
実施の形態４．
実施の形態１はサーモＯＦＦ直前のサーモＯＮ時間により次回のサーモオン禁止時間を設定するようにしたものであるが、次に、サーモＯＦＦ中の吸込み温度の上昇速度によりサーモＯＮ禁止時間をする実施の形態４を説明する。
図７はサーモＯＦＦ中の吸込み温度の上昇速度によりサーモＯＮ禁止時間を設定する実施形態４を示している。
まず、吸込み温度センサ１６は、サーモＯＦＦ中に室内機１に吸い込まれた１０分間ぶんの空気の吸込み温度を検出しＣＰＵに出力する（ステップＳ４０）。次に、ＣＰＵの吸込み温度上昇速度算出手段４４は、ステップＳ４０でサーモオフ中の１０分間に吸込み温度センサ１６により検出された吸込み温度から吸込み温度上昇速度（°Ｋ／ｍｉｎ）を算出する（ステップＳ４１）。ステップＳ４１で算出された上昇速度が小さいとき（０．２°Ｋ／ｍｉｎ以下：ステップＳ４２のＹｅｓ）は、３分間のみのサーモＯＮ禁止（通常運転）をスタートする（ステップＳ４３）。すなわち、ＣＰＵの第４サーモオン禁止時間設定手段４６は、吸込み温度上昇速度算出手段４４により算出された吸込み温度の上昇速度に応じた次回のサーモオン禁止時間ＰｎをメモリＭから取り出して設定するのである。続いて、ＣＰＵの第４圧縮機強制停止手段４７は、第４サーモオン禁止時間設定手段４６により設定されたサーモオン禁止時間Ｐｎの間中に圧縮機制御手段４５による圧縮機２１の起動を無効にするようになっている。
【００２６】
以上のように、実施形態４の空気調和装置１００は、サーモＯＦＦ中の吸込み温度の上昇速度に基づいてサーモＯＮ禁止時間Ｐｎを設定するようにしているので、実施の形態１，２，３と比べ、サーモＯＦＦ時間が長く、且つ、空調負荷が急激に増加した場合は、より直近の空調負荷状況に応じたサーモＯＦＦ禁止時間Ｐｎの設定ができると言う効果がある。
【００２７】
尚、上記の実施形態では、被空調室内の冷房を行なうものを例示したが、本発明はそれに限定されるものでない。本発明は、例えば被空調室内の暖房を行なう空気調和装置であっても、好適に対応可能である。
また、上記では、本発明に係る制御を室内機１の室内制御装置１４で行なわせるようにしたが、その制御を室外機２の室外制御装置２３で、または室外制御装置２３および室内制御装置１４により協働で行なわせるようにしても構わない。
【符号の説明】
【００２８】
１  室内機
２  室外機
３  接続配管
１２  利用側熱交換器
１３  室内送風手段
１４  室内制御装置
１５  膨張弁
１６  吸込み温度センサ
１７  吹出し温度センサ
２１  圧縮機
２２  熱源側熱交換器
２３  室外制御装置
２４  室外送風手段
４０  所定機器制御手段
４１  サーモオン時間カウント手段
４２  圧縮機発停回数カウント手段
４３  吹出し温度低下速度算出手段
４４  吸込み温度上昇速度算出手段
４５  圧縮機制御手段
４６  第１〜第４サーモオン禁止時間設定手段
４７  第１〜第４圧縮機強制停止手段
１００  空気調和装置
２００  冷媒回路
Ｍ  メモリ
Ｐｎ  サーモＯＮ禁止時間
Ｐｏ  サーモＯＮ時間
Ｔ  タイマ
【図１】
2016016913.tif 000003
【図２】
2016016913.tif 000004
【図３】
2016016913.tif 000005
【図４】
2016016913.tif 000006
【図５】
2016016913.tif 000007
【図６】
2016016913.tif 000008
【図７】
2016016913.tif 000009
【手続補正書】
【提出日】平成28年10月6日(2016.10.6)
【手続補正１】
【補正対象書類名】明細書
【補正対象項目名】０００６
【補正方法】変更
【補正の内容】
【０００６】
この発明に係る空気調和装置は、圧縮機、熱源側熱交換器、膨張弁および利用側熱交換器を順次環状に接続して成る冷媒回路と、利用側熱交換器が配備された室内機内で利用側熱交換器を通過して被空調室内に吹き出される空気の吹出し温度を検出する吹出し温度センサと、吹出し温度センサにより検出された吹出し温度を、予め設定されている設定温度に近づけるように、圧縮機を駆動するサーモオンまたは圧縮機を停止するサーモオフの制御を行なう圧縮機制御手段と、サーモオフ直前の連続したサーモオンの時間を計時するサーモオン時間カウント手段と、サーモオン時間カウント手段により計時されたサーモオン時間に基づいて次回のサーモオンを禁止する時間を算出して設定する第１サーモオン禁止時間設定手段と、第１サーモオン禁止時間設定手段により設定されたサーモオン禁止時間中は圧縮機制御手段による圧縮機の起動を無効にする第１圧縮機強制停止手段と、を備えていることを特徴とするものである。
【手続補正２】
【補正対象書類名】明細書
【補正対象項目名】０００７
【補正方法】変更
【補正の内容】
【０００７】
この発明の空気調和装置は、室内機の吹出し温度を予め設定されている設定温度に近づけるように、圧縮機を駆動するサーモオンまたは圧縮機を停止するサーモオフの制御を行なうにあたり、サーモオフ直前またはサーモオフ中の空調運転状態に応じて、次回のサーモオンを禁止する時間を設定するように構成したので、実際の空調負荷状態が低い場合や発熱機器の廃熱が空気調和装置に戻ってこない場合であっても、圧縮機が長時間起動しないといったことを防止し、圧縮機の発停回数を抑制できるという効果を有する。尚、前記した「サーモオフ直前またはサーモオフ中の空調運転状態」としては、例えば、サーモオフ直前の連続したサーモオン時間、所定時間内に生じた圧縮機の発停回数、サーモオフ直前の所定時間内の吹出し温度低下速度、サーモオフ中の所定時間内の吸込み温度上昇速度が挙げられる。
【手続補正３】
【補正対象書類名】特許請求の範囲
【補正対象項目名】全文
【補正方法】変更
【補正の内容】
【特許請求の範囲】
【請求項１】
圧縮機、熱源側熱交換器、膨張弁および利用側熱交換器を順次環状に接続して成る冷媒回路と、
前記利用側熱交換器が配備された室内機内で前記利用側熱交換器を通過して被空調室内に吹き出される空気の吹出し温度を検出する吹出し温度センサと、
前記吹出し温度センサにより検出された吹出し温度を、予め設定されている設定温度に近づけるように、前記圧縮機を駆動するサーモオンまたは前記圧縮機を停止するサーモオフの制御を行なう圧縮機制御手段と、
サーモオフ直前の連続したサーモオンの時間を計時するサーモオン時間カウント手段と、
前記サーモオン時間カウント手段により計時されたサーモオン時間に基づいて次回のサーモオンを禁止する時間を算出して設定する第１サーモオン禁止時間設定手段と、
前記第１サーモオン禁止時間設定手段により設定されたサーモオン禁止時間中は前記圧縮機制御手段による前記圧縮機の起動を無効にする第１圧縮機強制停止手段と、
を備えていることを特徴とする空気調和装置。
【請求項２】
圧縮機、熱源側熱交換器、膨張弁および利用側熱交換器を順次環状に接続して成る冷媒回路と、
前記利用側熱交換器が配備された室内機内で前記利用側熱交換器を通過して被空調室内に吹き出される空気の吹出し温度を検出する吹出し温度センサと、
前記吹出し温度センサにより検出された吹出し温度を、予め設定されている設定温度に近づけるように、前記圧縮機を駆動するサーモオンまたは前記圧縮機を停止するサーモオフの制御を行なう圧縮機制御手段と、
過去の複数の所定時間内に生じた前記圧縮機の発停回数を計数する圧縮機発停回数カウント手段と、
前記圧縮機発停回数カウント手段により計数された発停回数に基づいて次回のサーモオンを禁止する時間を算出して設定する第２サーモオン禁止時間設定手段と、
前記第２サーモオン禁止時間設定手段により設定されたサーモオン禁止時間中は前記圧縮機制御手段による前記圧縮機の起動を無効にする第２圧縮機強制停止手段と、
を備えていることを特徴とする空気調和装置。
【請求項３】
圧縮機、熱源側熱交換器、膨張弁および利用側熱交換器を順次環状に接続して成る冷媒回路と、
前記利用側熱交換器が配備された室内機内で前記利用側熱交換器を通過して被空調室内に吹き出される空気の吹出し温度を検出する吹出し温度センサと、
前記吹出し温度センサにより検出された吹出し温度を、予め設定されている設定温度に近づけるように、前記圧縮機を駆動するサーモオンまたは前記圧縮機を停止するサーモオフの制御を行なう圧縮機制御手段と、
サーモオフ直前の所定時間内に前記吹出し温度センサにより検出された吹出し温度の低下速度を算出する吹出し温度低下速度算出手段と、
前記吹出し温度低下速度算出手段により算出された吹出し温度の低下速度に基づいて次回のサーモオンを禁止する時間を算出して設定する第３サーモオン禁止時間設定手段と、
前記第３サーモオン禁止時間設定手段により設定されたサーモオン禁止時間中は前記圧縮機制御手段による前記圧縮機の起動を無効にする第３圧縮機強制停止手段と、
を備えていることを特徴とする空気調和装置。
【請求項４】
圧縮機、熱源側熱交換器、膨張弁および利用側熱交換器を順次環状に接続して成る冷媒回路と、
前記利用側熱交換器が配備された室内機内で前記利用側熱交換器を通過して被空調室内に吹き出される空気の吹出し温度を検出する吹出し温度センサと、
室内機に吸い込まれた空気の吸込み温度を検出する吸込み温度センサと、
前記吹出し温度センサにより検出された吹出し温度を、予め設定されている設定温度に近づけるように、前記圧縮機を駆動するサーモオンまたは前記圧縮機を停止するサーモオフの制御を行なう圧縮機制御手段と、
サーモオフ中の所定時間内に前記吸込み温度センサにより検出された吸込み温度の上昇速度を算出する吸込み温度上昇速度算出手段と、
前記吸込み温度上昇速度算出手段により算出された吸込み温度の上昇速度に基づいて次回のサーモオンを禁止する時間を算出して設定する第４サーモオン禁止時間設定手段と、
前記第４サーモオン禁止時間設定手段により設定されたサーモオン禁止時間中は前記圧縮機制御手段による前記圧縮機の起動を無効にする第４圧縮機強制停止手段と、
を備えていることを特徴とする空気調和装置。
【国際調査報告】
2016016913.tif 000010
2016016913.tif 000011
2016016913.tif 000012
2016016913.tif 000013